(57)【特許請求の範囲】
【請求項１】
第一のワイヤレスノードにおける方法であって、
第二のワイヤレスノードにより使用するための時間−周波数リソースを割り当てること(1310)であって、前記割り当てることは、割り当てられた時間−周波数リソースにおけるマルチキャリヤ変調で使用するために、前記第二のワイヤレスノードがデータの変調または復調のために使用するよう構成された二つ以上のサブキャリヤ帯域幅のうちの一つを選択することを含み、前記二つ以上のサブキャリヤ帯域幅は、周波数帯域のうちの異なる部分に共存することと、
前記第二のワイヤレスノードへ、割り当てられた前記時間−周波数リソースを識別するリソース割り当て情報が送信される検索空間を、選択された前記サブキャリヤ帯域幅に基づいて選択することであって、選択される前記検索空間は、前記第二のワイヤレスノードにより監視される二つ以上の検索空間のうちの一つであることと、
前記リソース割り当て情報を、選択された前記検索空間の中で送信すること(1320)と、
を含み、
選択された前記サブキャリヤ帯域幅は、前記リソース割り当て情報をどの前記検索空間で送信したかによって黙示的に示され、
前記二つ以上の検索空間は第一の検索空間と第二の検索空間とを含み、前記二つ以上のサブキャリヤ帯域幅は第一のサブキャリヤ帯域幅と前記第一のサブキャリヤ帯域幅とは異なる第二のサブキャリヤ帯域幅とを含み、
前記第二のワイヤレスノードにより、複数の第一の送信時間間隔の各々において、前記第一のサブキャリヤ帯域幅を用いて前記第一の検索空間が監視され、複数の第二の送信時間間隔の各々において、前記第二のサブキャリヤ帯域幅を用いて前記第二の検索空間が監視され、前記第一の送信時間間隔の少なくともいくつかが、前記第二の送信時間間隔のどれとも一致しない、方法。
【請求項２】
請求項1に記載の方法であって、前記二つ以上のサブキャリヤ帯域幅のうちの一つを選択することは、割り当て対象の特定の時間−周波数リソースの選択に含まれる、方法。
【請求項３】
請求項1または2に記載の方法であって、前記第二のワイヤレスノードへと、割り当てられた前記時間−周波数リソースの中でデータを送信すること(1330)をさらに含み、前記データを送信することは、割り当てられた前記時間−周波数リソースの中で、選択された前記サブキャリヤ帯域幅に従って送信信号を変調することを含む、方法。
【請求項４】
請求項1または2に記載の方法であって、前記第二のワイヤレスノードから、割り当てられた前記時間−周波数リソースの中でデータを受信することをさらに含み、前記データを受信することは、割り当てられた前記時間−周波数リソースの中で、選択された前記サブキャリヤ帯域幅に従って受信信号を復調することを含む、方法。
【請求項５】
請求項1乃至4のいずれか一項に記載の方法であって、前記リソース割り当て情報は選択された前記サブキャリヤ帯域幅に従って送信信号へと変調される、方法。
【請求項６】
第二のワイヤレスノードにおける方法であって、
二つ以上の検索空間を監視することと、
前記第二のワイヤレスノードに割り当てられた時間−周波数リソースを識別するリソース割り当て情報を、前記二つ以上の検索空間のうちの一つの中で受信すること(1410)と、
データの変調または復調のために、受信した前記リソース割り当て情報に基づいて、識別された前記時間−周波数リソース上のマルチキャリヤ変調で使用するために、前記リソース割り当て情報が受信された前記検索空間に対応する、前記第二のワイヤレスノードによりサポートされた二つ以上のサブキャリヤ帯域幅の一つを決定すること(1420)と、を含み、
前記二つ以上のサブキャリヤ帯域幅は、周波数帯域のうちの異なる部分に共存し、前記決定されたサブキャリヤ帯域幅は、前記リソース割り当て情報がどの前記検索空間で受信されたかによって黙示的に示され、
前記二つ以上の検索空間を監視することは、複数の第一の送信時間間隔の各々において、第一のサブキャリヤ帯域幅を用いて第一の検索空間を監視することと、複数の第二の送信時間間隔の各々において、前記第一のサブキャリヤ帯域幅とは異なる第二のサブキャリヤ帯域幅を用いて第二の検索空間を監視することとを含み、前記第一の送信時間間隔の少なくともいくつかが、前記第二の送信時間間隔のどれとも一致しないようにする、方法。
【請求項７】
請求項６に記載の方法であって、第一のワイヤレスノードから、識別された前記時間−周波数リソース上でデータ送信を受信すること(1430)をさらに含み、前記データ送信を受信することは、識別された前記時間−周波数リソースの中で、決定された前記サブキャリヤ帯域幅に従って受信信号を復調することを含む、方法。
【請求項８】
請求項６に記載の方法であって、第一のワイヤレスノードへと、識別された前記時間−周波数リソース上でデータを送信することをさらに含み、前記データを送信することは、識別された前記時間−周波数リソースの中で、決定された前記サブキャリヤ帯域幅に従って送信信号を変調することを含む、方法。
【請求項９】
請求項６乃至８のいずれか一項に記載の方法であって、前記リソース割り当て情報を受信することは、前記リソース割り当て情報が受信される前記検索空間と対応している前記サブキャリヤ帯域幅に従って前記リソース割り当て情報を復調することを含む、方法。
【請求項１０】
請求項６乃至９のいずれか一項に記載の方法であって、前記第一の検索空間を監視すること、および前記第二の検索空間を監視することは、第一及び第二の周期性にそれぞれ従って実行される、方法。
【請求項１１】
請求項10に記載の方法であって、前記方法はさらに、送信時間間隔が前記第一及び第二の周期性の両方に対応していることを判定することと、前記送信時間間隔内で前記第一及び第二の検索空間のうちの所定の一つのみを監視することとを含む、方法。
【請求項１２】
第一のワイヤレスノード(30)であって、
第二のワイヤレスノードにより使用するための時間−周波数リソースを割り当て、前記割り当てることは、割り当てられた前記時間−周波数リソースにおけるマルチキャリヤ変調で使用するために、前記第二のワイヤレスノードがデータの変調または復調のために使用するよう構成された二つ以上のサブキャリヤ帯域幅のうちの一つを選択することを含み、前記二つ以上のサブキャリヤ帯域幅は、周波数帯域のうちの異なる部分に共存し、
前記第二のワイヤレスノードへ、割り当てられた前記時間−周波数リソースを識別するリソース割り当て情報が送信される検索空間を、選択された前記サブキャリヤ帯域幅に基づいて選択することであって、選択される前記検索空間は、前記第二のワイヤレスノードにより監視される二つ以上の検索空間のうちの一つであることと、
前記リソース割り当て情報を、選択された前記検索空間の中で送信する、よう構成され、
選択された前記サブキャリヤ帯域幅は、前記リソース割り当て情報をどの前記検索空間で送信したかによって黙示的に示され、
前記二つ以上の検索空間は第一の検索空間と第二の検索空間とを含み、前記二つ以上のサブキャリヤ帯域幅は第一のサブキャリヤ帯域幅と前記第一のサブキャリヤ帯域幅とは異なる第二のサブキャリヤ帯域幅とを含み、
前記第二のワイヤレスノードにより、複数の第一の送信時間間隔の各々において、前記第一のサブキャリヤ帯域幅を用いて前記第一の検索空間が監視され、複数の第二の送信時間間隔の各々において、前記第二のサブキャリヤ帯域幅を用いて前記第二の検索空間が監視され、前記第一の送信時間間隔の少なくともいくつかが、前記第二の送信時間間隔のどれとも一致しない、第一のワイヤレスノード(30)。
【請求項１３】
請求項12に記載の第一のワイヤレスノード(30)であって、前記リソース割り当て情報は、前記リソース割り当て情報の送信のために使われたサブキャリヤ帯域幅と異なるサブキャリヤ帯域幅に対応する帯域幅領域に置かれたリソースに関連している、第一のワイヤレスノード(30)。
【請求項１４】
請求項12または13に記載の第一のワイヤレスノード(30)であって、前記二つ以上のサブキャリヤ帯域幅のうちの一つを選択することは、第一のワイヤレスノードの、割り当て対象の特定の時間−周波数リソースの選択において黙示される、第一のワイヤレスノード(30)。
【請求項１５】
請求項12乃至14のいずれか一項に記載の第一のワイヤレスノード(30)であって、選択された前記サブキャリヤ帯域幅に従って割り当てられた前記時間−周波数リソースの中で送信信号を変調することにより、前記第二のワイヤレスノードへと、割り当てられた前記時間−周波数リソースの中でデータを送信するようさらに構成された、第一のワイヤレスノード(30)。
【請求項１６】
請求項12乃至14のいずれか一項に記載の第一のワイヤレスノード(30)であって、前記第一のワイヤレスノードは、選択された前記サブキャリヤ帯域幅に従って割り当てられた前記時間−周波数リソースの中で受信信号を復調することにより、前記第二のワイヤレスノードから、割り当てられた前記時間−周波数リソースの中でデータを受信するようさらに構成された、第一のワイヤレスノード(30)。
【請求項１７】
請求項12に記載の第一のワイヤレスノード(30)であって、前記第一のワイヤレスノードは、前記リソース割り当て情報を、選択された前記サブキャリヤ帯域幅に従って送信信号へと変調するよう構成された、第一のワイヤレスノード(30)。
【請求項１８】
第二のワイヤレスノード(50)であって、
二つ以上の検索空間を監視し、
前記第二のワイヤレスノードに割り当てられた時間−周波数リソースを識別するリソース割り当て情報を、前記二つ以上の検索空間のうちの一つの中で受信し、
データの変調または復調のために、受信した前記リソース割り当て情報に基づいて、識別された前記時間−周波数リソース上のマルチキャリヤ変調で使用するために、前記リソース割り当て情報が受信された前記検索空間に対応する、前記第二のワイヤレスノードによりサポートされた二つ以上のサブキャリヤ帯域幅の一つを決定する、よう構成され、
前記二つ以上のサブキャリヤ帯域幅は、周波数帯域のうちの異なる部分に共存し、前記決定されたサブキャリヤ帯域幅は、前記リソース割り当て情報が受信された前記検索空間によって黙示的に示され、
前記第二のワイヤレスノードは、複数の第一の送信時間間隔の各々において、第一のサブキャリヤ帯域幅を用いて第一の検索空間を監視し、複数の第二の送信時間間隔の各々において、前記第一のサブキャリヤ帯域幅とは異なる第二のサブキャリヤ帯域幅を用いて第二の検索空間を監視するよう構成され、前記第一の送信時間間隔の少なくともいくつかが、前記第二の送信時間間隔のどれとも一致しないようにする、第二のワイヤレスノード(50)。
【請求項１９】
請求項18に記載の第二のワイヤレスノード(50)であって、前記第二のワイヤレスノードは、識別された前記時間−周波数リソース上で第一のワイヤレスノードからデータ送信を受信し、決定された前記サブキャリヤ帯域幅に従って、識別された前記時間−周波数リソースの中でデータ送信を復調するようさらに構成された、第二のワイヤレスノード(50)。
【請求項２０】
請求項18に記載の第二のワイヤレスノード(50)であって、前記第二のワイヤレスノードは、識別された前記時間−周波数リソース上で第一のワイヤレスノードへとデータを送信するようさらに構成され、前記データを送信することは、決定された前記サブキャリヤ帯域幅に従って、識別された前記時間−周波数リソースの中で送信データを変調することを含む、第二のワイヤレスノード(50)。
【請求項２１】
請求項18乃至20のいずれか一項に記載の第二のワイヤレスノード(50)であって、前記第二のワイヤレスノードは、前記リソース割り当て情報が受信される前記検索空間と対応している前記サブキャリヤ帯域幅に従って前記リソース割り当て情報を復調するよう構成された、第二のワイヤレスノード(50)。
【請求項２２】
請求項18に記載の第二のワイヤレスノード(50)であって、前記第二のワイヤレスノードは、第一及び第二の周期性に従って、前記第一の検索空間および前記第二の検索空間をそれぞれ監視する、第二のワイヤレスノード(50)。
【請求項２３】
請求項22に記載の第二のワイヤレスノード(50)であって、前記第二のワイヤレスノードはさらに、送信時間間隔が前記第一及び第二の周期性の両方に対応していることを判定し、前記送信時間間隔内で前記第一及び第二の検索空間のうちの所定の一つのみを監視するよう構成された、第二のワイヤレスノード(50)。
【請求項２４】
第一のワイヤレスノード(30)であって、
無線トランシーバ回路(36)と、処理回路(32)とを含み、前記処理回路は、
第二のワイヤレスノードにより使用するための時間−周波数リソースを割り当て、前記割り当てることは、割り当てられた時間−周波数リソースにおけるマルチキャリヤ変調で使用するために、前記第二のワイヤレスノードがデータの変調または復調のために使用するよう構成された二つ以上のサブキャリヤ帯域幅のうちの一つを選択することを含み、前記二つ以上のサブキャリヤ帯域幅は、周波数帯域のうちの異なる部分に共存し、
前記第二のワイヤレスノードへ、割り当てられた前記時間−周波数リソースを識別するリソース割り当て情報が送信される検索空間を、選択された前記サブキャリヤ帯域幅に基づいて選択することであって、選択される前記検索空間は、前記第二のワイヤレスノードにより監視される二つ以上の検索空間のうちの一つであることと、
前記リソース割り当て情報を、選択された前記検索空間の中で送信する、よう構成され、
選択された前記サブキャリヤ帯域幅は、前記リソース割り当て情報をどの前記検索空間で送信したかによって黙示的に示され、
前記二つ以上の検索空間は第一の検索空間と第二の検索空間とを含み、前記二つ以上のサブキャリヤ帯域幅は第一のサブキャリヤ帯域幅と前記第一のサブキャリヤ帯域幅とは異なる第二のサブキャリヤ帯域幅とを含み、
前記第二のワイヤレスノードにより、複数の第一の送信時間間隔の各々において、前記第一のサブキャリヤ帯域幅を用いて前記第一の検索空間が監視され、複数の第二の送信時間間隔の各々において、前記第二のサブキャリヤ帯域幅を用いて前記第二の検索空間が監視され、前記第一の送信時間間隔の少なくともいくつかが、前記第二の送信時間間隔のどれとも一致しない、第一のワイヤレスノード(30)。
【請求項２５】
請求項24に記載の第一のワイヤレスノード(30)であって、前記処理回路(32)は、請求項2乃至5のいずれか一項に記載の方法を実行するよう構成された、第一のワイヤレスノード(30)。
【請求項２６】
第二のワイヤレスノード(50)であって、
無線トランシーバ回路(56)と、
処理回路(52)とを含み、前記処理回路は、
二つ以上の検索空間を監視し、
前記第二のワイヤレスノードに割り当てられた時間−周波数リソースを識別するリソース割り当て情報を、前記二つ以上の検索空間のうちの一つの中で受信し、
データの変調または復調のために、受信した前記リソース割り当て情報に基づいて、識別された前記時間−周波数リソース上のマルチキャリヤ変調で使用するために、前記リソース割り当て情報が受信された前記検索空間に対応する、前記第二のワイヤレスノードによりサポートされた二つ以上のサブキャリヤ帯域幅の一つを決定する、よう構成され、
前記二つ以上のサブキャリヤ帯域幅は、周波数帯域のうちの異なる部分に共存し、前記決定されたサブキャリヤ帯域幅は、前記リソース割り当て情報がどの前記検索空間で受信されたかによって黙示的に示され、
前記第二のワイヤレスノードは、複数の第一の送信時間間隔の各々において、第一のサブキャリヤ帯域幅を用いて第一の検索空間を監視し、複数の第二の送信時間間隔の各々において、前記第一のサブキャリヤ帯域幅とは異なる第二のサブキャリヤ帯域幅を用いて第二の検索空間を監視するよう構成され、前記第一の送信時間間隔の少なくともいくつかが、前記第二の送信時間間隔のどれとも一致しないようにする、第二のワイヤレスノード(50)。
【請求項２７】
請求項26に記載の第二のワイヤレスノードであって、前記処理回路(52)は、請求項7乃至11のいずれか一項に記載の方法を実行するよう構成された、第二のワイヤレスノード。
【請求項２８】
コンピュータプログラムであって、第一のワイヤレスノード内のプロセッサにより実行されるよう構成されたプログラム命令を含み、前記プログラム命令は、前記第一のワイヤレスノードに、請求項1乃至5のいずれか一項に記載の方法を実行させるよう構成された、コンピュータプログラム。
【請求項２９】
コンピュータプログラムであって、第二のワイヤレスノード内のプロセッサにより実行されるよう構成されたプログラム命令を含み、前記プログラム命令は、前記第二のワイヤレスノードに、請求項6乃至11のいずれか一項に記載の方法を実行させるよう構成された、コンピュータプログラム。
【請求項３０】
コンピュータ可読媒体であって、その上に請求項28又は29に記載のコンピュータプログラムを格納した、コンピュータ可読媒体。
【請求項３１】
第一のワイヤレスノード(30)であって、
第二のワイヤレスノードにより使用するための時間−周波数リソースを割り当てるリソース割り当てモジュール(1702)であって、前記割り当てることは、割り当てられた時間−周波数リソースにおけるマルチキャリヤ変調で使用するために、前記第二のワイヤレスノードがデータの変調または復調のために使用するよう構成された二つ以上のサブキャリヤ帯域幅のうちの一つを選択することを含み、前記二つ以上のサブキャリヤ帯域幅は、周波数帯域のうちの異なる部分に共存するリソース割り当てモジュール(1702)と、
前記第二のワイヤレスノードへ、割り当てられた前記時間−周波数リソースを識別するリソース割り当て情報が送信される検索空間を、選択された前記サブキャリヤ帯域幅に基づいて選択することであって、選択される前記検索空間は、前記第二のワイヤレスノードにより監視される二つ以上の検索空間のうちの一つであることと、前記リソース割り当て情報リソース割り当て情報を、選択された前記検索空間の中で送信する送信モジュール(1704)とを含み、選択された前記サブキャリヤ帯域幅は、前記リソース割り当て情報をどの前記検索空間で送信したかによって黙示的に示され、
前記二つ以上の検索空間は第一の検索空間と第二の検索空間とを含み、前記二つ以上のサブキャリヤ帯域幅は第一のサブキャリヤ帯域幅と前記第一のサブキャリヤ帯域幅とは異なる第二のサブキャリヤ帯域幅とを含み、
前記第二のワイヤレスノードにより、複数の第一の送信時間間隔の各々において、前記第一のサブキャリヤ帯域幅を用いて前記第一の検索空間が監視され、複数の第二の送信時間間隔の各々において、前記第二のサブキャリヤ帯域幅を用いて前記第二の検索空間が監視され、前記第一の送信時間間隔の少なくともいくつかが、前記第二の送信時間間隔のどれとも一致しない、第一のワイヤレスノード（30）。
【請求項３２】
第二のワイヤレスノード(50)であって、
二つ以上の検索空間を監視し、前記第二のワイヤレスノードに割り当てられた時間−周波数リソースを識別するリソース割り当て情報を、前記二つ以上の検索空間のうちの一つの中で受信する受信モジュール(1802)と、
データの変調または復調のために、受信した前記リソース割り当て情報に基づいて、識別された前記時間−周波数リソース上のマルチキャリヤ変調で使用するために、前記リソース割り当て情報が受信された前記検索空間に対応する、前記第二のワイヤレスノードによりサポートされた二つ以上のサブキャリヤ帯域幅の一つを決定する決定モジュール(1804)と、を含み、前記二つ以上のサブキャリヤ帯域幅は、周波数帯域のうちの異なる部分に共存し、前記決定されたサブキャリヤ帯域幅は、前記リソース割り当て情報がどの前記検索空間で受信されたかによって黙示的に示され、
前記第二のワイヤレスノードは、複数の第一の送信時間間隔の各々において、第一のサブキャリヤ帯域幅を用いて第一の検索空間を監視し、複数の第二の送信時間間隔の各々において、前記第一のサブキャリヤ帯域幅とは異なる第二のサブキャリヤ帯域幅を用いて第二の検索空間を監視するよう構成され、前記第一の送信時間間隔の少なくともいくつかが、前記第二の送信時間間隔のどれとも一致しないようにする、第二のワイヤレスノード(50)。
【請求項３３】
請求項12に記載の第一のワイヤレスノードと請求項18に記載の第二のワイヤレスノードとを含むワイヤレス通信システム。
【請求項３４】
方法であって、
第一のワイヤレスノードにおいて、第二のワイヤレスノードにより使用するための時間−周波数リソースを割り当て、前記割り当てることは、割り当てられた時間−周波数リソースにおけるマルチキャリヤ変調で使用するために、前記第二のワイヤレスノードがデータの変調または復調のために使用するよう構成された二つ以上のサブキャリヤ帯域幅のうちの一つを選択することを含み、前記二つ以上のサブキャリヤ帯域幅は、周波数帯域のうちの異なる部分に共存し、割り当てられた前記時間−周波数リソースを識別するリソース割り当て情報が送信される検索空間を、選択された前記サブキャリヤ帯域幅に基づいて選択し、選択される前記検索空間は、前記第二のワイヤレスノードにより監視される二つ以上の検索空間のうちの一つであり、前記リソース割り当て情報を、選択された前記検索空間の中で前記第二のワイヤレスノードへと送信し、選択された前記サブキャリヤ帯域幅は、前記リソース割り当て情報をどの前記検索空間で送信したかによって黙示的に示され、
第二のワイヤレスノードにおいて、二つ以上の検索空間を監視することと、前記第二のワイヤレスノードに割り当てられた時間−周波数リソースを識別するリソース割り当て情報を、前記二つ以上の検索空間のうちの一つの中で受信することと、データの変調または復調のために、受信した前記リソース割り当て情報に基づいて、識別された前記時間−周波数リソース上のマルチキャリヤ変調で使用するために、前記リソース割り当て情報が受信された前記検索空間に対応する、前記第二のワイヤレスノードによりサポートされた二つ以上のサブキャリヤ帯域幅の一つを決定することとを含み、前記二つ以上のサブキャリヤ帯域幅は、周波数帯域のうちの異なる部分に共存し、前記決定されたサブキャリヤ帯域幅は、前記リソース割り当て情報がどの前記検索空間で受信されたかによって黙示的に示され、
前記第二のワイヤレスノードは、複数の第一の送信時間間隔の各々において、第一のサブキャリヤ帯域幅を用いて第一の検索空間を監視し、複数の第二の送信時間間隔の各々において、前記第一のサブキャリヤ帯域幅とは異なる第二のサブキャリヤ帯域幅を用いて第二の検索空間を監視するよう構成され、前記第一の送信時間間隔の少なくともいくつかが、前記第二の送信時間間隔のどれとも一致しないようにする、方法。
【発明の詳細な説明】
【技術分野】
【０００１】
本発明は一般に無線通信ネットワークと関連し、特に、複数のマルチキャリヤ変調モードを使用するシステムにおけるリソース割り当てに関連している。
【背景技術】
【０００２】
第３世代パートナーシップ計画(3GPP)のメンバーによって開発されたいわゆる長期発展(LTE)無線通信ネットワークは、ダウンリンクにおいて直交周波数分割多重(OFDM)を、アップリンクにおいて離散フーリエ変換拡散(DFT拡散)OFDM（単一キャリヤ周波数分割多重アクセスすなわちFDMAとも称される）を用いる（「モバイル広帯域のための4G LTE/LTEアドバンスト」、2011、エリク・ダーマン、ステファン・パークバル、ヨハン・スケルト著）。基本的なＬＴＥのダウンリンク物理リソースは、その結果、図１に示すような時間−周波数グリッドとして理解でき、そこでは各リソース要素が、ひとつのＯＦＤＭシンボル間隔の期間にひとつのＯＦＤＭサブキャリヤに対応する。アップリンクサブフレームは、ダウンリンクと同じサブキャリヤ間隔／帯域幅と、ダウンリンクにおけるOFDMシンボルと同じ数の、時間領域内の単一キャリヤFDMA(SC-FDMA)シンボルとを持っている。
【０００３】
図２に示すように、時間領域で、LTEダウンリンク送信は10msの無線フレームに組織され、各無線フレームは、長さTsubframe=1msの同じサイズの10個のサブフレームから成る。正常な巡回プレフィクスのために、1つのサブフレームは14個のOFDMシンボルから成る。各シンボルの期間は約71.4μsである。
【０００４】
さらに、LTEにおけるリソース割り当ては一般にリソースブロックの面で説明され、そこでは一つのリソースブロックは時間領域の１スロット（0.5ms）かつ周波数領域の12の連続サブフレームに対応する。時間方向の2つの隣接リソースブロックのペア(1.0ms)が、リソースブロックペアとして知られている。リソースブロックは周波数領域において番号付けされており、システム帯域幅の一方の端部から0で始まる。
【０００５】
ダウンリンク送信は動的に、すなわち各サブフレーム内でスケジューリングされ、基地局はどの端末についてのデータが送信されるか、かつどのリソースブロックでデータが送信されるかの制御情報を現在のダウンリンクサブフレームで送信する。この制御シグナリングは一般に各サブフレーム内の最初の1、2、3、または4つのOFDMシンボルで送信され、数n=1、2、3、または4は制御フォーマットインジケータ(CFI)として知られている。ダウンリンクサブフレームはまた共通参照シンボルを含み、それは受信者により知られており、制御情報の首尾一貫した復調のために使用される。制御としてＣＦＩ＝３のＯＦＤＭシンボルを持つダウンリンクシステムを図３に示す。
【０００６】
図３において示されている参照シンボルはセル固有参照シンボル(CRS)であり、精密な時間および周波数への同期と、或る送信モデルのためのチャネル推定とを含む複数の機能をサポートする。
【０００７】
LTEネットワークの開発と展開がユーザに提供するワイヤレスデータ転送速度を大いに増大させ、多種多様なモバイルのブロードバンド(MBB)サービスの開発を可能にした間、これらのサービスへの需要は増加し続ける。改善された帯域幅および性能のこの需要増に加えて、マシン−マシン(M2M)機器などの専用目的機器のための新しいアプリケーションが開発され続けている。これらの市場の力は、モバイルデータアプリケーションのためのサービス要件の多様性に一層適合するために、柔軟性を高めた無線通信テクノロジーが必要であることを示す。
【発明の概要】
【発明が解決しようとする課題】
【０００８】
ここには、複数のマルチキャリヤ変調ヌメロロジーを使用するシステムにおいて時間−周波数リソースを割り当てるための技術が開示される。
【０００９】
第一の面によれば、第二のワイヤレスノードによる使用のための時間−周波数リソースを割り当てることを含む第一のワイヤレスノードにおける方法が提供され、前記割り当てることは、割り当てられた前記時間−周波数リソースにおいてマルチキャリヤ変調で使用するために、前記第二のワイヤレスノードがデータの変調または復調のために使用するよう構成された二つ以上のサブキャリヤ帯域幅の一つを選択することを含む。いくつかの実施形態において、前記方法は前記第二のワイヤレスノードへリソース割り当て情報を送信することを含み、前記リソース割り当て情報は、割り当てられた前記時間−周波数リソースを識別する。いくつかの実施形態において、前記リソース割り当て情報は、前記リソース割り当て情報の送信のために使われたサブキャリヤ帯域幅と異なるサブキャリヤ帯域幅に対応する帯域幅領域に置かれたリソースに関連している。
【００１０】
第二の面によれば、第二のワイヤレスノードにおける方法が、前記第二のワイヤレスノードに割り当てられた時間−周波数リソースを識別するリソース割り当て情報を受信する。前記方法はさらに、受信した前記リソース割り当て情報に基づいて、識別された前記時間-周波数リソース上のマルチキャリヤ変調で使用するために前記第二のワイヤレスノードによりサポートされた二つ以上のサブキャリヤ帯域幅の一つを決定することを含む。
【００１１】
第三の面によれば、第一のワイヤレスノードが、第二のワイヤレスノードによる使用のための時間−周波数リソースを割り当てるよう構成され、前記割り当てることは、割り当てられた前記時間−周波数リソースにおいてマルチキャリヤ変調で使用するために、前記第二のワイヤレスノードがデータの変調または復調のために使用するよう構成された二つ以上のサブキャリヤ帯域幅の一つを選択することを含む。いくつかの実施形態において、前記第一のワイヤレスノードは、前記第二のワイヤレスノードへリソース割り当て情報を送信するよう構成され、前記リソース割り当て情報は、割り当てられた前記時間−周波数リソースを識別する。
【００１２】
第四の面によれば、第二のワイヤレスノードが、前記第二のワイヤレスノードに割り当てられた時間−周波数リソースを識別するリソース割り当て情報を受信し、受信した前記リソース割り当て情報に基づいて、識別された前記時間-周波数リソース上のマルチキャリヤ変調で使用するために前記第二のワイヤレスノードによりサポートされた二つ以上のサブキャリヤ帯域幅の一つを決定するよう構成される。
【００１３】
他の面によれば、通信システムが、上述した第一のワイヤレスノードと上述した第二のワイヤレスノードとを含む。さらに別の面によれば、方法が、第一のワイヤレスノードにおいては、第二のワイヤレスノードによる使用のために時間−周波数リソースを割り当てることを含み、前記割り当てることは、割り当てられた前記時間−周波数リソースにおけるマルチキャリヤ変調で使用するために、前記第二のワイヤレスノードがデータの変調または復調のために使用するよう構成された二つ以上のサブキャリヤ帯域幅の一つを選択することを含み、第二のワイヤレスノードにおいては、前記第二のワイヤレスノードに割り当てられた時間−周波数リソースを識別するリソース割り当て情報を受信することと、受信した前記リソース割り当て情報に基づいて、識別された前記時間-周波数リソース上のマルチキャリヤ変調で使用するために前記第二のワイヤレスノードによりサポートされた二つ以上のサブキャリヤ帯域幅の一つを決定することとを含む。
【００１４】
別の面によれば、コンピュータプログラム製品が、第一のワイヤレスノード内のプロセッサにより実行されるよう構成されたプログラム命令を含み、前記プログラム命令は、前記第一のワイヤレスノードに前記第一の面に従う方法を実行させるよう構成される。
【００１５】
さらに別の面によれば、第二のワイヤレスノード内のプロセッサにより実行されるよう構成されたプログラム命令を含み、前記プログラム命令は、前記第二のワイヤレスノードに前記第二の面に従う方法を実行させるよう構成される。
【００１６】
帯域幅および／またはリソースを効果的に利用可能にすることが本発明の効果である。利用可能なサブキャリヤ帯域幅および／またはリソースは、その結果、たとえば一つ以上のサービスの、特にデータボリュームおよび／またはレイテンシに関する要件に適合するよう構成される。異なるサブキャリヤ帯域幅の場合、或る帯域幅領域またはサブバンド領域におけるサブキャリヤ帯域幅の分散は、それゆえ、帯域幅領域および／またはサブバンド領域を効率的に利用させるために最適化される。
【００１７】
上述の面に対応する様々な他の方法および装置が、これら面の付加的な詳細および改良としてここで詳述される。もちろん、本発明は上述の特徴及び効果に限られない。  当業者は、以下の詳細な説明を読んだとき、および添付図面を見たときに追加的な特徴及び効果を認めるであろう。
【図面の簡単な説明】
【００１８】
【図１】図１はLTEダウンリンク物理リソースを示す図を説明する。
【図２】図２はLTE時間領域構造の図を説明する。
【図３】図３はダウンリンクサブフレームの図を説明する。
【図４】図４はいくつかの実施形態によるマルチモードマルチキャリヤ変調構成を説明する。
【図５】図５は、いくつかの実施形態で利用可能なOFDM変調方式のブロック図を説明する。
【図６】図６はいくつかの実施形態で利用可能なOFDM復調方式のブロック図を説明する。
【図７】図７はいくつかの実施形態で利用可能なDFTS-OFDM変調方式のブロック図を説明する。
【図８】図８はいくつかの実施形態で利用可能なDFTS-OFDM復調方式のブロック図を説明する。
【図９】図９は、いくつかの実施形態にしたがって、各時間間隔において複数のFFT変調方式を用いた信号生成を説明する。
【図１０】図１０は二つのヌメロロジー領域を持つ帯域幅におけるリソース割り当て情報の送信の一例を説明する。
【図１１】図１１は、異なるサブキャリヤ間隔／帯域幅を持つ二つの異なるヌメロロジーのためのサブキャリヤナンバリングを比較する。
【図１２】図１２は二つのヌメロロジー領域を持つ帯域幅におけるリソース割り当て情報の送信の一例を説明する。
【図１３】図１３はいくつかの実施形態による第一のワイヤレスノードにおける方法を説明する。
【図１４】図１４はいくつかの実施形態による第二のワイヤレスノードにおける方法を説明する。
【図１５】図１５はいくつかの実施形態によるネットワークアクセスノードのブロック図を説明する。
【図１６】図１６はいくつかの実施形態によるユーザ機器のブロック図を説明する。
【図１７】図１７は、いくつかの実施形態によるネットワークアクセスノードの機能的な実装を説明する。
【図１８】図１８はいくつかの実施形態によるユーザ機器の機能的な実装を説明する。
【発明を実施するための形態】
【００１９】
近年ワイヤレス機器とアプリケーションの数が高度成長しており、この傾向は、将来にわたって大いに続きそうである。この成長は、「5G」(第５世代)ワイヤレステクノロジーとみなすことができる新しい無線アクセステクノロジー(RAT)の需要を示す。5Gについての現在の計画の重要な目的の一つは、モバイルブロードバンド(MBB)を越えてネットワークによって提供されたサービスを拡張することである。新しいユースケースは新しい要請と一緒に来るかもしれない。同時に、5Gがまた非常に広い周波数範囲をサポートし、それが展開オプションとなる場合には非常に柔軟であるべきである。
【００２０】
大いに変化するアプリケーションニーズ(すなわちサービスの質（QoS)パラメータおよび展開シナリオ）を持つ新しいアプリケーションの出現によって、単一の柔軟性がない物理層テクノロジーは、要求された性能特性を達成することに十分ではない。例えば、レイテンシを小さくするために、いくつかのサービスがLTEに比べてより短い送信時間間隔(TTI)を必要としていることは明かである。OFDMシステムにおいて、より短いTTIは、サブキャリヤ間隔またはサブキャリヤ帯域幅を変更することによって実現され得る。(サブキャリヤ間隔とサブキャリヤ帯域幅という用語はここでは区別なく使われる)。他のサービスは、緩和された同期要件のサポートまたは拡散を遅らせる非常に高い頑丈さを必要とする--これは、巡回プレフィクスを用いて動作しているシステムにおいて、巡回プレフィクスを拡張することによってなされ得る。これらはまさに可能性のある要件の例である。
【００２１】
しかし、サブキャリヤ間隔および巡回プレフィクス長などのパラメータを選ぶことが矛盾する目的の間のトレードオフであることは明白である。従って、無線アクセス技術、例えば次世代（すなわち「5G」）RATは、送信パラメータ、一般的に「ヌメロロジー(numerology)」と呼ばれる送信パラメータのいくつかのバリエーションへの柔軟なサポートを有利に提供する。そのような送信パラメータは、OFDMシステム内およびいくつかの他のマルチキャリヤ変調システム内のサブキャリヤ間隔に直接関連するシンボル継続期間、サブキャリヤの数、または巡回プレフィクス継続期間であってよい。
【００２２】
さらに、同時に同じバンドの上のいくつかのサービスをサポートすることができることは有益である。これは、異なるサービスの間のリソース(例えば帯域幅)の動的割り当てと、効率的な実施と展開とを可能にさせる。従って、同じ送信帯域上で１より多いヌメロロジーの同時使用が提供される。
【００２３】
このコンテクストで、セルラネットワークの将来の世代のための非常に柔軟な物理層が現在デザインされている。この物理層デザインは、レイテンシ、信頼性、およびスループットを含むQoS要件の広範囲の変化を実現することに適合する。この新しい物理層デザインでは、スケーラビリティは、違うサブキャリヤ間隔を使って適応するよう提案される。別の特徴は、それが混合モード動作をサポートすべきである、ということであり、それは異なるサブキャリヤ間隔が同時に同じ周波数帯域に共存することを許す。この技術は、マルチモードマルチキャリヤ変調または複数のマルチキャリヤ変調方式を包含していると呼ばれ、このコンテクストにおいては、「マルチキャリヤ変調方式」と「マルチキャリヤ変調モード」という用語は置き換え可能であるとみなされるべきである。マルチモードは、ヌメロロジーが同じキャリヤの上で混じるという事実による。各モードは、例えばサブキャリヤ間隔、巡回プレフィクス長、および／またはOFDMシンボル長の特定の選択肢を持つ。
【００２４】
この文書において、「方式」は同じもののために使われる。それが問題であるか？
ここに考えられた混合モード動作の本質は以下の通りである:  送信ノードで、二つ以上のマルチキャリヤ信号が生成され、それぞれが一つ以上のシンボルから構成されていているけれども、マルチキャリヤ信号は、例えばサブキャリヤ間隔および／またはシンボル継続期間について異なる送信パラメータを持つ。特に、二つの信号のためのシンボル継続期間は変わるかもしれないけれども、シンボル境界が周期的に整列するように、二つの信号（およびこの信号のための他のパラメータ）のためのシンボル継続期間が選ばれる。いくつかの実施形態において、整列は1ミリ秒の周期性によって達成される--これにより、LTE信号が、同じ周波数帯域内で、異なるサブキャリヤ間隔および／またはシンボル継続期間を持っている一つ以上の他のマルチキャリヤ信号と結合できるように、既存のLTE技術に良好な調和が提供される。
【００２５】
従って、将来のネットワーク(「5G」ネットワークと広く称される)中で、マルチモードマルチキャリヤ構成が、様々なアプリケーションおよびサービスの変化するQoS要件を満たすために考えられている。これらの5Gのネットワークをサポートする新しい物理層デザインのための新しいヌメロロジーが現在提案されている--この新しいヌメロロジーは、同じ送信帯域の別々の部分の中で異なるサブキャリヤ間隔（または対応して異なるOFDMシンボルサイズ）をサポートすることができる。異なるOFDM構成の相互運用を容易にするよう、さまざまなOFDMシンボル長が一緒に非常によくフィットするような方法で、様々なヌメロロジーが定義されてよい。
【００２６】
ここに提供された具体的な例のいくつかは、基本のマルチキャリヤ変調方式としてOFDMの使用に基づいているけれども、シグナルのいくつかまたはすべてが、離散フーリエ変換拡散OFDM(DFTS-OFDM)のようなプリコード済みOFDM送信(それは単一キャリヤ周波数分割多重アクセス(SC-FDMA)としてまた知られている)であるならば、この技術は同じようによくあてはまる。ここに用いられているように「マルチキャリヤ変調」という用語は、他のマルチキャリヤ変調方式だけでなくこれらの方式のどれでもを指すことが理解されるであろう。従って、ここにおける様々なマルチキャリヤ変調方式への参照は、潜在的な変調技術における相違、またはマルチキャリヤ変調パラメータ(例えばシンボル継続期間および／またはサブキャリヤ間隔）における相違、またはそれら両方を参照するかもしれない。
【００２７】
ここに説明された技術は、いくつかの実施形態において、複数のマルチキャリヤを同時に送信するよう構成されたシステムに関連し、その信号は、たとえばシンボル長やサブキャリヤ間隔などに関して別々のマルチキャリヤ変調パラメータ（ヌメロロジー）を持つ。それぞれの信号はシンボル（例えばOFDMシンボル）とガード期間（例えば巡回プレフィクスまたはゼロから成るガード期間）との列から成る。
【００２８】
図４は、送信ノードが同時に二つのマルチキャリヤ変調方式を使用する方法の非限定的な例として、マルチモード構成の二つのケースを説明する。ここで、マイクロサブフレームが定義される--各マイクロサブフレームは少数のOFDMシンボルと等しくてよい。一例として、図４における一つのマイクロサブフレーム410が、四つの「長い」OFDMシンボル412、414、416および418から成るように示されている。(説明における各シンボルは巡回プレフィクスを含む)。新しいヌメロロジーにより、異なるサブキャリヤ間隔および／または異なるシンボル長によって特徴付けられている別々のマルチキャリヤ変調モードの相互運用が可能になる。図４に示す例において、狭いサブキャリヤ間隔と、対応して長いOFDMシンボル412、414、416および418を持つ一つのマイクロサブフレーム410は、広いサブキャリヤ間隔と、対応して短いOFDMシンボル422、424、426などとを持つ四つのマイクロサブフレーム420と等しい。そして、例示したように、より大きなマイクロサブフレームごとにシンボルは位置合わせされる。
【００２９】
図４では二つのマルチキャリヤ変調モードが用いられる例を説明する一方、二つより多いモードも混在モードOFDMフレームワークにおいてサポートできることに注意すべきである。OFDM変調器及び復調器のこの詳細に詳しい人々は、与えられたマルチキャリヤ変調モードのためのモード選択（すなわちOFDMシンボル長およびサブキャリヤ間隔の選択）が、与えられたサンプルレートとの組み合わせにおいて信号を変調し、復調するために使われるIFFT/FFTサイズの適切な選択によって達成できることを理解するであろう。LTEにおいて、サブキャリヤ間隔は15kHzに固定され、シンボル継続期間は、7つのシンボル(「標準」巡回プレフィクス)または6つのシンボル(拡張巡回プレフィクス)のどちらかが500マイクロ秒のスロット内に適合するように設定される。この新しい物理層のために企画されたアプローチにより、LTEにおいて使われたOFDM変調（もし同一でなければ）のようなマルチキャリヤ変調モードは同じ周波数帯域の中で、そして同時に、例えばより広いサブキャリヤ間隔とより短いシンボル継続期間を持っている一つ以上の他のマルチキャリヤ変調モードとして使用できる。
【００３０】
既存のLTE標準に伴う問題の一つは、それが固定された大型のサブフレーム構造を使うことであり、それにより、重要なマシンタイプ通信(C-MTC)シナリオのケースでよくあるように、非常に小さいデータのためのリソースの消耗を結果として生じる。さらに、相対的に粗い時間粒度のため、LTEリソースブロックは単にC-MTCアプリケーションの非常に低いレイテンシ要件を満たしていない。既存のLTE標準に伴う第二の問題は、ありとあらゆるさまざまなサービスが、同じサブフレーム構造を用いるために結合されることである。サブフレームは、C-MTCアプリケーションのための全ての新たに生起する一刻の猶予も許されないデータサービスをサポートするために別々のユーザの間で分割できない。
【００３１】
これらの問題の両方は、ここで説明するマルチモード技術により取り組まれている。C-MTCアプリケーションは、たとえば、（例えばLTEで使用されるそれらと比較して）相対的に広いサブキャリヤ間隔と相対的に短いシンボル継続期間を持つマルチキャリヤ変調モードによりサービスされ得る。  同様に、これは、図４において示されたマイクロサブフレーム420などの相対的により短いマイクロサブフレームを使って、これらのアプリケーションとの通信を容易にする。同時に、モバイルブロードバンド(MBB)アプリケーションは、分離したおよび／または隣接した帯域幅領域で、相対的より狭いサブキャリヤ間隔と相対的により長いOFDMシンボル継続期間を持つ別個のマルチキャリヤ変調モードによってサービスされ得る。しかし、異なる/別個のマルチキャリヤ変調モードは、異なる時に同じまたは重複する帯域幅領域を使用することができる。あるヌメロロジーへの帯域幅割り当ては、データボリューム、レイテンシ、および／または或るアプリケーションまたはサービスのトラフィックまたは優先度などの要求を満たすように動的に構成されてよい。
【００３２】
図５は、逆ファストフーリエ変換(IFFT)またはより一般的には逆離散フーリエ変換(IDFT)を用いるOFDM変調を説明する。さらに詳しく下に説明されるであろうように、図５において示された信号処理構成の二つ以上の同時の例示がマルチモード操作のために使われてよい。図４のダイヤグラムによって示されるように、OFDNサブキャリヤの数Ncおよびサブキャリヤ間隔は変わることができる。サブキャリヤの数Ncは、選択されたサブキャリヤ間隔と全体の伝送帯域幅に依存して、百未満から数千に及ぶことができる。
【００３３】
図５により説明したように、それぞれのOFDM時間間隔の間、Nc個の変調済みシンボルa0からaNc-1が、シリアル−パラレルコンバータ502によりサイズNのIDFT504に提供される。IFFTのサイズは、生成できるサブキャリヤの合計数に対応し、生成されるサブキャリヤの実際の数は図5においてはNcである。
【００３４】
IDFT504のパラレル出力は、パラレル−シリアルコンバータ506によりシリアルな時系列に変換される。  巡回プレフィクス508はOFDMシンボルの初めにおいてOFDMシンボルの一部のコピーを挿入し、OFDMシンボルを時間分散に対してあまり敏感でないようにする。コンバーター510によるディジタル−アナログ変換に続いて、最終出力信号x(t)が送信のために準備される。
【００３５】
図６は、FFT処理を用いる、またはより一般的にはDFT処理を用いる変調を説明する。受信信号r(t)はサンプリングされ、CPリムーバ602により巡回プレフィクスが取り除かれる。シリアル−パラレルコンバータ604はOFDMシンボルのサンプルをサイズNのDFT606へと提供し、それは変調済み信号の複数のサブキャリヤからデータシンボル値を抽出する。これらデータシンボルはそれからパラレル−シリアルコンバータ608によりデータシンボルの直列ストリームに変換される。これらのデータシンボルはそれからここに復調され、得られたデータが復号される。
【００３６】
図７は、DFTベースのプレコーディングまたはDFT拡散OFDM(FDFTS-OFDM)を用いたOFDM変調を説明し、それは単一キャリヤ周波数分割多重アクセス(SC-FDMA)と呼ぶことができる。M変調シンボルのブロックはサイズM DFT702に適用される。DFT702の出力はそれから、サイズN IDFTとして実装されるOFDM変調器704の入力に適用される。OFDM変調器704の各入力は得られる変調済み信号のサブキャリヤに対応する。IDFT出力のOFDM変調器704における時系列への変換の後、巡回プレフィクスインサータ706は巡回プレフィクスを挿入する。最後に、出力信号x(t)が、ディジタル−アナログコンバータ708による変換の後で出力される。
【００３７】
図８は、受信信号r(t)が巡回プレフィクスリムーバ802、サイズN DFT804およびサイズM I DFT806により処理されるDFTS-OFDM復調を説明する図である。図８に示したDFTS-OFDM復調器は図６のOFDM復調器と類似しているが、追加されたサイズM IDFT806を有することは理解されるであろう。
【００３８】
前述したように、OFDMとDFTS-OFDMはマルチキャリヤ変調／復調技術の例として説明しているが、本発明の実施形態はそのような技術に限定されない。また、均等化(周波数領域で行われ得る)は、簡潔さのために図から省略されていることは注目される。
【００３９】
IFFTサイズは、異なるヌメロロジーまたは異なる送信パラメータ持つ変調方式のために選択できる。結果として得られる割り当ては、同じ時間間隔の別々の周波数帯域部分の中で別々のサブキャリヤ間隔を持つシンボルに提供できる。例えば、図９は二つの同時に利用されるマルチキャリヤ変調器902および904を示す。変調器902は2048のIFFTサイズで動作し、2048の相対的に狭い変調済みサブキャリヤを出力することが可能である一方、変調器904は512のIFFTサイズで動作する。変調器904は、また、変調器902からのサブキャリヤの4倍の幅である最大512のサブキャリヤを生成する一方、長さが4分の1のシンボルも生成している。
【００４０】
説明された例において、各々が16.875kHzの帯域幅を持つ、変調器902のサブキャリヤ400-1000が生成され、一方、変調器904からのサブキャリヤ280-400は各々が67.5kHzの帯域幅を持っている。変調器902と904の中で使われた入力の範囲が、結果として得られるサブキャリヤが互いにぶつからないように選ばれることは理解されるであろう。説明された例において、変調器904からの121の相対的に広いサブキャリヤは、変調器902のサブキャリヤ1120-1600によって占められるであろうスペクトルの部分と対応する。変調器の対応する入力は従って使われない。これは周波数領域において、二つのマルチキャリヤ変調器からの出力の間の小さなギャップを提供する(それは、二つの変調済み信号が、送信前に、時間領域において、互いに単に追加され得ることを意味している)。その結果は、与えられた時間間隔内で、変調方式902が周波数帯域の第一の非オーバーラップ部分のためのシンボルのより長いブロックを提供する一方、変調方式904が、周波数帯域の第二の非オーバーラップ部分で、より多くの間隔でシンボルのより短いブロックを提供することである。結果として、シンボルは、異なるサブキャリヤ間隔を使って異なる受信機ノードに向けられることができ、そのすべてが同じ時間間隔内である。
【００４１】
その結果、異なるマルチキャリヤ変調方式またはモードがその周波数帯域の異なる部分のために利用できる。特に、これは、周波数帯域の第一の部分が、所定長の1以上の時間間隔の各々の中で第一の整数のシンボル間隔を持つ第一の信号を含むことができる一方、周波数帯域の第二の部分が、前記所定長の1以上の時間間隔の各々の中で、第一の整数とは異なる第二の整数のシンボル間隔を持つ第二の信号を含むことができることを意味している。これらの信号はその周波数帯域の中で同時に送信でき、第一と第二の信号がその周波数帯域の中で周波数領域多重化される。さらに、これは、第一の信号内のシンボル間隔開始時間が、時間間隔当たり少なくとも一回、対応する第二の信号内のシンボル間隔開始時間と合うような方法で行われてよい。マルチキャリヤ変調モードはヌメロロジーの特定の選択に対応する。ヌメロロジーは、サブキャリヤ間隔、巡回プレフィクス長および／または時間におけるOFDMシンボル長により定義してよい。
【００４２】
これは、サブキャリヤ間隔および／またはシンボル継続期間が、周波数帯域の異なる部分において異なってよいことを意味している。二つのマルチキャリヤ変調モードが図９において示された例において結合される一方、周波数帯域の非衝突部分が複数の変調器に割り当てられる限り、これを、三つ、四つ、又はより多くのマルチキャリヤ変調モードに拡張できることは理解されるであろう。
【００４３】
直交周波数分割多重(OFDM)がマルチキャリヤ変調技術のほんの一例であることは理解されるべきである。他の例は、離散フーリエ変換拡散(DFT拡散またはDFTS-)OFDMを含み、それはまた単一キャリヤ周波数分割多重アクセス(SC-FDMA)またはプレコードOFDMとも呼ばれる。さらに他の例は、フィルタバンクマルチキャリヤ(FBMC)変調、プレコードFBMC、および汎用周波数分割多重(GFDM)を含む。これらの技術に詳しい人々は、これらの技術のそれぞれのためのディジタル信号処理が変わるであろうことを認識するであろうが、これらのマルチキャリヤ変調技術の一つ以上がここに詳述したマルチモード方式において使用してよいことを理解するべきである。従って、実施形態例がOFDMに関連してここで説明されるのに対して、説明した技術および装置はOFDMに加えて、あるいはその代わりに、一つ以上の他のマルチキャリヤ変調技術を使用してよい。
【００４４】
上述した技術により、いくつものサービスがより適切に同じ帯域上でサポートできる。これにより、別々のサービス化でリソース（例えば帯域幅）の動的割り当てが可能になり、効率的な実装および展開が可能になる。モバイルブロードバンド(MBB)端末は例えば16.875kHz(または15kHz)のサブキャリヤ帯域幅を供給され得る。一般的な巡回プレフィクスは5μsより小さいため、10%より小さなオーバーヘッドを形成する。そのほかの機器、例えばMTCデバイスは67.5kHz(または60kHzまたは75kHz)のサブキャリヤ帯域幅を供給され得る。MBB端末と同じ展開に適合するために、同様の長さのガード間隔が必要とされる。ガード間隔は、巡回プレフィクス、既知の単語またはゼロ評価されたサンプルから成る真のガード間隔であってよい。本開示においては、ガード間隔という用語はそれらの任意のものを参照するために使用されている。
【００４５】
OFDMシンボルの継続期間はサブキャリヤ帯域幅の逆数、すなわち1/Δfである。換言すれば、広いサブキャリヤを持つOFDMシンボルは狭いサブキャリヤを持つOFDMシンボルよりも短い。例えば、Δf1=16.875kHzを持つOFDMシンボルのシンボル継続期間は1/Δf1=59μsであり、Δf2=67.5kHzを持つOFDMシンボルのシンボル継続期間は1/Δf2=15μsである。3μsのガード期間が、Δf1=16.875kHzおよびΔf2=67.5kHzの幅のサブキャリヤを持つOFDMについて5%および20%のオーバーヘッドをそれぞれ形成する。MTCサービスのためにとっておかれたリソース(サブキャリヤ)量は、たとえば、大きなオーバーヘッドのため最小化される(必要な量に適合させる)べきである。Δf2 = 67.5kHzの帯域幅の全部を運用することで、(帯域幅全体の上でOFDMの使用を許し、フィルタされたOFDMを必要としていない)通信システムが簡素化されるであろうけれども、大きなオーバーヘッドのため容認できない性能を持つであろう。
【００４６】
他のユースケースは、Δf1 = 16.875kHzと別の種類のMTCサービスのためのΔf2 = 5.625kHz(すなわちいっそうより狭いサブキャリヤ間隔を持つヌメロロジー)の混合であってよい。このヌメロロジーの巡回プレフィクスオーバーヘッドはΔf1 = 16.875kHzについてよりも低い一方、サブキャリヤ帯域幅は非常に狭く、ドップラーロバスト性のため、ゆっくり移動する端末のみをサポートする。従って、とっておかれたΔf2 = 5.625kHzを持つリソース（サブキャリヤ）量は、必要とされているニーズに再び適合されるべきである。
【００４７】
単一の帯域幅におけるヌメロロジーの混合に伴う一つの問題は、異なるヌメロロジー（例えばOFDMサブキャリヤ帯域幅）が互いに直交しないこと、すなわちサブキャリヤ帯域幅Δf1を持つサブキャリヤが帯域幅Δf2のサブキャリヤと干渉することである。フィルタされたOFDMにおいて、フィルタリングは、異なるヌメロロジーの間の干渉を抑制するために導入される。
【００４８】
フィルタリング--特に極端な変遷領域を持つ--は、まさしく狭帯域通過帯域にとってトリッキーである。従って、ヌメロロジーが帯域上で占有できる最小の帯域幅は、いくつかのサブキャリヤの幅でありそうである 。例えば、サブキャリヤ帯域幅Δf1がMBBのために使用される一方、Δf2は別のサービス、例えばある種のMTCサービスのために使われる。手頃なフィルタリングを可能にするには、それぞれのヌメロロジーのために取っておかれなければならないリソース(サブキャリヤ)は、一定の最小値を越えなければならない。MTCサービス自身が必要としているリソースが、フィルタリングによって決定されている最小限の量より少ないならば、それらリソースは、サブキャリヤ帯域幅Δf1のみで動作するMBB端末によって使うことができないので、これらのリソースは使用されないままである。これは非効率なリソース利用をもたらす。
【００４９】
上で説明されたマルチモードマルチキャリヤ変調技術が展開されるときには、少なくともいくつかのモバイル端末は様々なヌメロロジーを持つOFDM信号の同時の受信をサポートすべきである。例えば、MBB端末のための主要なヌメロロジーはΔf1 = 16.875kHz(または15kHz)であろう。この端末は、帯域領域Δf1において、その制御シグナリング（ダウンリンク割り当て、アップリンク許諾）の少なくとも一部を受信するよう構成されてよい。もし未使用のリソースが、Δf2 = 67.5kHz(または60kHzまたは75kHz)で動作している帯域領域に存在するならば、これらのリソースを端末が利用できるようにすることは可能なはずである。これは、スケジューリングされたリソースのヌメロロジー(例えばOFDMサブキャリヤ帯域幅)を示している制御シグナリングに情報を挿入することによって行える。代わりに、端末は両方の帯域領域で設定された検索空間を持つことができる。
【００５０】
マルチモードマルチキャリヤ変調環境におけるいくつかのリソース割り当ておよびそれらリソース割り当てをモバイル端末にシグナリングする技術は以下に詳述する。これらの技術はOFDMについて概説されるけれども、信号のいくつかまたはすべてが、SC-FDMAとしても知られている離散フーリエ変換拡散OFDM(DFTS-OFDM)などのプレコードOFDM送信であるならば、この技術は同じようによくあてはまる。同様に、この技術は一般に帯域の上の二つの異なるヌメロロジーの使用について説明されるが、この技術は、二つを超えるヌメロロジーが機器によって使われ、かつ／または機器によってサポートされるシステムにすぐに拡張することができることは理解されるべきである。
【００５１】
現在開示された技術のいくつかの実施形態によると、制御情報においてワイヤレス機器に提供されたリソース割り当ては、表示されたリソースのOFDMヌメロロジーと関連した情報を含んでいて、ここでヌメロロジーは、サブキャリヤ帯域幅または関連パラメータ、帯域幅、ガード間隔期間などを示す。ワイヤレス機器に送られたリソース割り当て情報において提供されたOFDMヌメロロジー情報のサイズは、場合によっては帯域上で同時に使用できるヌメロロジーの数に依存する。それはまた、特定の端末が受信するヌメロロジーの数に依存してもよい（場合によっては、端末はヌメロロジーのサブセットだけを受け取ることができる)。例えば、二つのヌメロロジーの場合には、1ビットで十分である。同時に存在するヌメロロジーが最大K個のより一般的な場合では、必要なビットの数はceil(ld(K))である。これはより一般にノード−ノードリンクだけでなくアップリンクおよびダウンリンクの両方にあてはまる。
【００５２】
図１０は、制御情報送信のために使われたヌメロロジーとは違うヌメロロジーとともに或る領域に置かれたリソースを示している制御情報をモバイル端末が受信する場合について、その端末のための時間−周波数リソースの割り当て例を説明する。図に例示するように、時間−周波数リソースは、「Numerology1」、および「Numerology2」とラベルがつけられた周波数により、二つの異なる領域に分割される。Numerology1リソースはΔf1のサブキャリヤ間隔を持つ一方、Numerology2リソースはより広いサブキャリヤ間隔Δf2を持つ。
【００５３】
説明された例において、モバイル端末のための制御情報は、Numerology1リソースのいくつかを使って送信される。この制御情報は、例えば物理ダウンリンク制御チャンネル(PDCCH)またはLTE標準において定義された拡張物理ダウンリンク制御チャンネル(E-PDCCH)のような一つ以上の制御チャンネル専用の時間−周波数リソースで送信されてよい。制御情報は、モバイル端末のために割り当てられた時間−周波数リソースを識別しているリソース割り当て情報を含んでいる。説明された例において、リソース割り当て情報は二つのフィールド--値「Numerology 2」を持つ「num」フィールド及び値17を持つフィールド「res」--を含む。この例における割り当てられた時間−周波数リソースがNumerology2を持つ領域に置かれているため、フィールド「num」は「Numerology2」を示す。フィールド「res」は割り当てられたサブキャリヤを示すので、図示されるように、サブキャリヤ17を指している。もちろん、これは、モバイル端末に割り当てられた時間−周波数リソースを示しているリソース割り当て情報がどのようにエンコードされ得るかの一例にすぎない。  例えば、「num」および「res」を新しいフィールド「numres」の中に一緒にエンコードすることも可能である。また、以下により詳しく述べるように、割り当てられた時間−周波数リソースのためのヌメロロジーなどのリソース割り当て情報のいくらかを黙示的に示すことも可能である。
【００５４】
リソース割り当て情報が特定のサブキャリヤまたはサブキャリヤを示している情報を含む場合、リソース割り当て情報を受信するモバイル端末が、どのサブキャリヤ帯域幅が「res」フィールドで想定されるかを理解していることは重要である。換言すれば、やや一般的には、モバイル端末が、特定のサブキャリヤまたはサブキャリヤらの表示をエンコードするときに、どのサブキャリヤ帯域幅が想定されているかを理解していることは重要である。説明された例において、「res」フィールドはサブキャリヤ17を示す。これがΔf1またはΔf2のどちらのサブキャリヤ帯域幅を想定するかに応じて、割り当てられた周波数はそれぞれ17・Δf1または17・Δf2のどちらかであり得る。  これは図１１に示されており、それはΔf1とΔf2のサブキャリヤに分割された所与の周波数領域を並んで説明する。
【００５５】
一つの可能性は、「num」フィールドにおいて示されたヌメロロジーを「res」フィールドのために想定すること、すなわち、リソース割り当て情報におけるサブキャリヤの表示が、割り当てられた時間−周波数リソースと対応しているサブキャリヤ帯域幅に関してエンコードされると想定することである。別の可能性は、制御情報送信のために使われたヌメロロジーを「res」フィールドのために想定すること、すなわち、リソース割り当て情報におけるサブキャリヤの表示が、リソース割り当て情報が送信される時間−周波数リソースと対応しているサブキャリヤ帯域幅に関してエンコードされると想定することである。いくつかの実施形態においては、モバイル端末は、例えば無線リソース制御(RRC)シグナリングで、「res」フィールドのために想定されるべきヌメロロジーの表示により予め設定されていてもよい。
【００５６】
現在明らかにされた技術のいくつかの実施形態において、モバイル端末のための制御情報は、LTEシステムにおいて現在行われているように、モバイル端末によって監視される一つ以上の検索空間のうちの少なくとも一つで送信される。いくつかの実施形態において、モバイル端末は、第一のサブキャリヤ間隔/帯域幅を持つ第一のヌメロロジーで制御情報が送信されるところに設定された少なくとも一つの検索空間と、異なる第二のサブキャリヤ間隔/帯域幅を持つ第二のヌメロロジーを用いて制御情報が送信されるところに設定された少なくとも一つの検索空間を有する。
【００５７】
これらの実施形態のいくつかにおいて、制御情報をデコードするために使われたのと同じヌメロロジーは、割り当てられたリソースのためにも想定される。そして、ここで、割り当てられた時間−周波数リソースのためのサブキャリヤ帯域幅は、リソース割り当て情報が発見される検索空間によって黙示的に示される。
【００５８】
このアプローチの例は図１２において示される。  この例において、時間−周波数リソースは周波数について再び二つの領域に分けられ、再び「Numerology1」および「Numerology2」とラベル付けされる。  これらの領域の各々においてそれぞれの検索空間が見いだされる--上述したように、各検索空間内で送信された制御情報はその検索空間が置かれた領域のためのヌメロロジーに従って変調される。  説明された例において、リソース割り当て情報はNUmerology2領域のための検索空間内で送信される。リソース割り当て情報が、Numerology2の検索空間で受信されるという事実は、割り当てられた時間−周波数リソースもまたNumerology2領域であり、同じヌメロロジーに続いていることを示すため、「num」フィールドは必要ない。
【００５９】
また、UEが、リソース割り当てフィールド「res」をエンコードするときにどのヌメロロジーが想定されているかを知っていることが重要である。特定のサブキャリヤのどのような表示でも、リソース割り当て情報が受信された検索空間のためのヌメロロジー（これは本アプローチに従って動作する実施形態において割り当てられた時間−周波数リソースのための同じヌメロロジーである）に対応するサブキャリヤ間隔／帯域幅に関してエンコードされると想定することが最も直観的であるけれども、ここでは、上で検討したバリエーションが等しく適用可能である。一般に、しかし必ずではないが、サブキャリヤはブロック(例えばLTEにおける物理リソースブロック(PRB))に関して表示される。
【００６０】
割り当てられた時間−周波数リソースにあてはまるヌメロロジーを表示するための別のアプローチによると、ヌメロロジーの領域は準静的に設定される。モバイル端末は例えばRRCシグナリングを経てこれらの領域の境界を知らされてよい。モバイル端末が、具体的な時間−周波数リソースの割り当てを表示している制御情報を受信するとき、それらの時間−周波数リソースの位置--すなわち準静的に設定されたヌメロロジー領域のどれかにそれらリソースが収まる--が、割り当てられた時間−周波数リソースにあてはまるヌメロロジーを決定する。このアプローチによれば、ヌメロロジーは、特定のリソース割り当てから黙示的であるので、ここでも「num」フィールドあるいはそれに等しいものは必要ない。しかしながら、前と同じように、モバイル端末がリソース割り当てフィールドをエンコードするときに、どのヌメロロジーが想定されているかを知っていることは重要であり続ける--このために上で説明したバリエーションのそれぞれは同様にこの代替案に適用可能である。
【００６１】
いくつかの実施形態において、モバイル端末(または他のワイヤレス機器)は、いくつかの第一のインスタンスのそれぞれで第一のヌメロロジーを使い、いくつかの第二のインスタンスのそれぞれで第二のヌメロロジーを使って、リソース割り当て情報を検索するように構成されてよい。従って、例えば、モバイル端末は、所与の周期性で第一のヌメロロジーにおいて、そして他の周期性で第二のヌメロロジーにおいて検索するように構成されてよい。これらの実施形態のいくつかにおいて、割り当てられた時間−周波数リソースと対応しているヌメロロジーは、リソース割り当て情報を復調し、デコードするときに、モバイル端末によって使用されたヌメロロジーとマッチすると想定される。
【００６２】
いくつかの実施形態において、上で検討された周期性は、二つの周期性のための時刻が時々一致するほどであってよい。これらの実施形態において、優先規則が検索規則の中にあってよく、その結果端末は、所与の時刻ごとに一つのヌメロロジーで検索することが必要とされるだけである。そのような優先メカニズムにより、端末が同じ時刻に二つのヌメロロジーを検索する必要なしに、重要なメッセージが、より低優先度のメッセージと確実に共存できる。
【００６３】
検索パターンの一例を下の表１に示す。この例において、モバイル端末は、5番目のサブフレームごとヌメロロジー1において検索し、第二のサブフレームごとにヌメロロジー2において検索する。
【００６４】
【表１】
0006755298.tif 000002
【００６５】
ここで、テーブルにおける各「x」は、一度に一つのヌメロロジーのみにおいて受信することが可能な第一の端末が、表示されたヌメロロジー(及びいくつかの実施形態では対応するサブバンド).に従って制御情報の検索を実行していることを示す。各「y」は、同時にいくつかのヌメロロジーにおいて検索することができる第二の端末が、表示されたヌメロロジーに従って制御情報の検索を実行していることを示す。第一の端末が特にこの例におけるクロスヌメロロジースケジューリングから利益を得るであろうことは理解されるであろう。
【００６６】
上述した詳細な検討及び例を考慮すると、図１３と図１４はそれぞれ、時間−周波数リソースを、二つ以上のサブキャリヤ帯域幅がマルチキャリヤ変調のために使用できるシステムにおけるマルチキャリヤ変調のために割り当てるための方法の例と、そのようなシステムにおいてリソース割り当て情報を受信し解釈する方法の例とを説明する処理フローであることは理解されるであろう。これらの方法が、アップリンクリソース割り当て、ダウンリンクリソース割り当て、または、より一般にノード−ノード通信のためにリソース割り当てにあてはまり得ることに注意すること。
【００６７】
ブロック1310に示したように、図１３に説明する方法1300は、第一のワイヤレスノードにおいて実施され、第二のワイヤレスノードによる使用のための時間−周波数リソースを割り当てることを含み、前記割り当てることは、割り当てられた前記時間−周波数リソースにおいてマルチキャリヤ変調で使用するために、前記第二のワイヤレスノードがデータの変調または復調のために使用するよう構成された（すなわち前記第二のワイヤレスノードがサポートし（すなわち使用可能であり）、及び／又は使用が許された）二つ以上のサブキャリヤ帯域幅の一つを選択することを含む。ブロック1320に示したように、前記方法はさらに、前記第二のワイヤレスノードへ前記リソース割り当て情報を送信することを含み、前記リソース割り当て情報は、割り当てられた前記時間−周波数リソースを識別する。しかしながら、いくつかの実施形態では、リソース割り当ては、リソース割り当て情報を第二のワイヤレスノードへと送信するノードとは異なるノードにより実行されてよいことに注意せよ。そのため、ここで開示した技術のいくつかの実施形態は、図１３に説明したリソース割り当てステップのみを実行するよう構成されたノードを含む。
【００６８】
上述した詳細な例のいくつかで説明したように、幾つかの実施形態においては、第二のワイヤレスノードに送信された前記リソース割り当て情報は、前記リソース割り当て情報の送信のために使われたサブキャリヤ間隔と異なるサブキャリヤ間隔に対応する帯域幅領域に置かれたリソースに関連している。いくつかの実施形態においては、ヌメロロジーは、リソース割り当て情報のヌメロロジーにより黙示的に表示される。すなわち、データとリソース割り当て情報とは常に同じヌメロロジー上にある。他の実施形態においては、データとリソース割り当てとは同じヌメロロジー上にあってもなくてもよい。
【００６９】
上で参照した二つ以上のサブキャリヤ帯域幅のうち一つを選択することは、いくつかの実施形態では黙示的であってよいことに注意すべきである。例えば、サブキャリヤ帯域幅の選択は、前記第一のワイヤレスノードの、割り当て対象である特定の時間−周波数リソースの選択において黙示的であってよい。
【００７０】
ブロック1330で示したように、説明した方法はさらに、いくつかの実施形態において、割り当てられた時間−周波数リソースの中で前記第二のワイヤレスノードにデータを送信することを含む。このデータを送信することは、割り当てられた時間−周波数リソースの中で、選択されたサブキャリヤ間隔に従って送信信号を変調することを含む。代替実施形態では、代わりに同様の方法が前記第二のワイヤレスノードから、割り当てられた時間−周波数リソースの中でデータを受信することを含んでよく、ここでデータを受信することは、割り当てられた時間−周波数リソースの中で、選択されたサブキャリヤ間隔に従って受信信号を復調することを含む。
【００７１】
上に提供されたいくつかの詳細な例に関連して議論されるように、いくつかの実施形態においては、第二のワイヤレスノードに送信されたリソース割り当て情報は、割り当てられた時間−周波数リソースにおける一つ以上の特定のサブキャリヤの表示を含む。これらの実施形態のいくつかにおいて、この表示は、割り当てられたリソースと対応しているサブキャリヤ帯域幅でエンコードされる。これらの実施形態のその他において、リソース割り当て情報は第一の時間−周波数リソースを使って送信され、その表示は、リソース割り当て情報が送信される第一の時間−周波数リソースに対応しているサブキャリヤ帯域幅に関してエンコードされ、第一の時間−周波数リソースに対応しているサブキャリヤ帯域幅は、割り当てられた時間−周波数リソース内で使用のために選択されたサブキャリヤ帯域幅と異なっている。いくつかの実施形態において、インジケータによって表示された一つ以上の特定のサブキャリヤは、選択されたサブキャリヤ帯域幅を黙示し、かつ、サブキャリヤ情報のエンコーディングを黙示してもよい。
【００７２】
代わりに、いくつかの実施形態において、リソース割り当て情報は、割り当てられた時間−周波数リソースのためのサブキャリヤ帯域幅の明示的なインジケータを含んでよい。これらの実施形態のいくつかにおいて、この明示的なインジケータは、マルチキャリヤ変調のために二つ以上の所定のヌメロロジーのうちの一つを識別し、所定のヌメロロジーの各々は、対応するサブキャリヤ帯域幅を持っている。
【００７３】
一般に図１３で説明された方法のいくつかの実施形態において、リソース割り当て情報は第二のワイヤレスノードによって監視された二つ以上の検索空間のうちの一つにおいて送信される。これらの実施形態において、この方法はさらに、リソース割り当て情報が送信される検索空間を、選択されたサブキャリヤ帯域幅に基づいて選択することを含む。これらの実施形態のいくつかにおいて、リソース割り当て情報は選択されたサブキャリヤ帯域幅に従って送信信号の上へと変調される。
【００７４】
図１４は、二つ以上のサブキャリヤ帯域幅をマルチキャリヤ変調のために使うことができるシステムにおいてリソース割り当て情報を受信し、解釈するための例である方法1400を説明している処理フロー図である。説明された方法は、例えば図１３について上で検討された「第二のワイヤレスノード」において実施されてよい。
【００７５】
ブロック1410に示したように、この方法は、前記第二のワイヤレスノードに割り当てられた時間−周波数リソースを識別するリソース割り当て情報を受信することを含む。ブロック1420に示しように、前記方法はさらに、受信した前記リソース割り当て情報に基づいて、識別された前記時間-周波数リソース上のマルチキャリヤ変調で使用するために前記第二のワイヤレスノードによりサポートされた二つ以上のサブキャリヤ帯域幅の一つを決定することを含む。
【００７６】
いくつかの実施形態では、前記方法が、前記第一のワイヤレスノードから、識別された時間−周波数リソース上でデータ送信を受信することを含んでよく、ここでデータ送信を受信することは、識別された時間−周波数リソースの中で、決定されたサブキャリヤ帯域幅に従って受信信号を復調することを含む。これはブロック1430に示されている。代替的に、いくつかの実施形態では、図１４に示された方法と類似の方法が、前記第一のワイヤレスノードへ、識別された時間−周波数リソース上でデータを送信することを含んでよく、ここでこのデータを送信することは、識別された時間−周波数リソースの中で、決定されたサブキャリヤ帯域幅に従って送信信号を変調することを含む。
【００７７】
上述した詳細な例から明らかであるように、説明された方法のいくつかの実施形態においては、リソース割り当て情報は、割り当てられた時間−周波数リソースにおける一つ以上の特定のサブキャリヤのインジケータを含む。これらの実施形態において、適用可能なサブキャリヤ帯域幅を決定することは、前記二つ以上の可能性のあるサブキャリヤ帯域幅のうちのどれが一つ以上の特定のサブキャリヤに対応しているかを決定することを含む。これらの実施形態のいくつかにおいて、インジケータは割り当てられた時間−周波数リソースに対応しているサブキャリヤ帯域幅でエンコードされ、前記方法はさらに、割り当てられた時間−周波数リソースに対応しているインジケータ及びサブキャリヤ帯域幅の少なくとも一部に基づいて、割り当てられた時間−周波数リソースのための周波数範囲を決定することを含む。これらの実施形態の他において、インジケータは、リソース割り当て情報が送信される時間−周波数リソースと対応しているサブキャリヤ帯域幅でエンコードされ、前記方法はさらに、リソース割り当て情報が送信される時間−周波数リソースと対応しているインジケータ及びサブキャリヤ帯域幅の少なくとも一部に基づいて、割り当てられた時間−周波数リソースのための周波数範囲を決定することを含む。これらの後者の実施形態のいくつかにおいて、リソース割り当て情報が送信される時間−周波数リソースと対応しているサブキャリヤ帯域幅は、決定されたサブキャリヤ帯域幅と異なる。
【００７８】
いくつかの実施形態において、割り当てられた時間−周波数リソースに適用可能なサブキャリヤ帯域幅を決定することは、二つ以上の可能性のあるサブキャリヤ帯域幅のどれが上述したインジケータによって表示された一つ以上の具体的なサブキャリヤと対応しているかを決定することを含む。いくつかの実施形態において、代わりに、第二のワイヤレスノードによって受信されたリソース割り当て情報は、割り当てられた時間−周波数リソースのためのサブキャリヤ帯域幅の明示的なインジケータを含む。これらの実施形態において、適用可能なサブキャリヤ帯域幅を決定することはこの明示的なインジケータに基づく。いくつかの実施形態において、この後者のインジケータはマルチキャリヤ変調のための二つ以上の所定のヌメロロジーのうちの一つを識別してよく、所定のヌメロロジーの各々は対応するサブキャリヤ帯域幅を持っている。
【００７９】
図１４で説明された方法のいくつかの実施形態において、前記方法はさらに、二つ以上の検索空間を監視することを含み、ここでリソース割り当て情報は、第二のワイヤレスノードによって監視された二つ以上の検索空間のうちの一つにおいて受信される。これらの実施形態のいくつかにおいて、割り当てられた時間−周波数リソースのために適用可能なサブキャリヤ帯域幅を決定することは、二つ以上の可能性のあるサブキャリヤ帯域幅のどれが、リソース割り当て情報が受信される検索空間と対応しているかを決定することを含む。これらの実施形態のいくつかにおいて、リソース割り当て情報を受信することは、リソース割り当て情報が受信される検索空間と対応しているサブキャリヤ帯域幅に従ってリソース割り当て情報を復調することを含む。すなわち、リソース割り当て情報は、これらの実施形態において、割り当てられた時間−周波数リソースにあてはまるのと同じサブキャリヤ帯域幅を使って送信される。
【００８０】
いくつかの実施形態において、上で検討した二つ以上の検索空間を監視することは、送信時間間隔内で、第一と第二のサブキャリヤ間隔をそれぞれ使用して第一と第二の検索空間を監視することを含み、前記第一と第二のサブキャリヤ間隔は互いに異なっている。他の実施形態では、二つ以上の検索空間を監視することは、複数の第一の送信時間間隔の各々において、第一のサブキャリヤ間隔を用いて第一の検索空間を監視することと、複数の第二の送信時間間隔の各々において、第一のサブキャリヤ間隔とは異なる第二のサブキャリヤ間隔を用いて第二の検索空間を監視することとを含み、前記第一の送信時間間隔の少なくともいくつかが、前記第二の送信時間間隔のどれとも一致しないようにする。これら後者の実施形態のいくつかにおいては、前記第一の検索空間を監視すること、および前記第二の検索空間を監視することは、第一及び第二の周期性にそれぞれ従って実行される。これら実施形態のいくつかにおいて、前記方法はさらに、送信時間間隔が前記第一及び第二の周期性の両方に対応していることを判定することと、前記送信時間間隔内で第一及び第二の検索空間のうちの所定の一つのみを監視することとを含んでよい。
【００８１】
図１３と図１４、および上で検討したバリエーションにおいて説明した方法は、一般的な問題として、与えられた周波数帯域幅の中で二つ以上のマルチキャリヤ変調方式をサポートするよう構成されたいかなるワイヤレスノードにおいてでも実施してよい。いくつかの実施形態において、図１４で説明された方法がモバイル端末で実施される一方、図１３で説明された方法は無線通信ネットワークの無線基地局で実施される。しかし、ここに説明された技術がそのような構成に限定されないことは理解されるべきである。この技術は例えば逆の方法で実施されることができる。いくつかのシステムにおいて、ワイヤレス機器は、例えば外部への送信のための割り当てについて両方の方法を実行するよう構成されてよい。
【００８２】
図１５と図１６は、ネットワークアクセスノード(例えば無線基地局)及びユーザ機器の例の機能をそれぞれ説明する。その後のそれらの図の詳細な検討において、図１６と対応する技術が図１６のユーザ機器で実施される一方、図１３に対応している技術は図１５のネットワークアクセスノードで実施されることが想定される。しかし、さらにまた、逆の状況が場合によってはあてはまってよいし、あるいは、両方の技術の実施形態が一つのワイヤレス機器で実施されてよいことは理解されるべきである。
【００８３】
図１５は、いくつかの実施形態による基地局などのネットワークアクセスノード30の図を説明する。  ネットワークノード30は、ワイヤレス機器とコアネットワークとの間の通信を容易にする。  ネットワークアクセスノード30は、コアネットワーク内の他のノード、無線ノードおよび／またはデータおよびセルラ通信サービスを提供するためのネットワーク内の他のタイプのノードと通信するための回路を含む通信インタフェース回路38を含む。ネットワークアクセスノード30はアンテナ34及びトランシーバ回路36経由でワイヤレス機器と通信する。  セルラ通信サービスを提供するために、トランシーバ回路36は、送信機回路、受信機回路、および無線アクセス技術に従って信号を送信および受信するよう集合的に構成される制御回路を含んでよい。
【００８４】
ネットワークアクセスノード30はまた、通信インタフェース回路38またはトランシーバ回路36と動作可能なように関連する一つ以上の処理回路32を含む。  ネットワークアクセスノード30は、ネットワークノードとト通信するために通信インタフェース回路38を使用し、ユーザ機器と通信するためにトランシーバ36を使用する。簡潔な議論のために、一つ以上の処理回路32は以下において「処理回路32」と呼ぶ。処理回路32は一つ以上のディジタルプロセッサ42、例えば一つ以上のマイクロプロセッサ、マイクロコントローラ、ディジタルシグナルプロセッサすなわちDSP、フィールドプログラマブルゲートアレイすなわちFPGA、複合プログラマブル論理デバイスすなわちCPLD、特定用途向け集積回路すなわちASICまたはそれらの組み合わせを含む。  より一般的に、処理回路32は、固定された回路または、ここに教示された機能を実施するプログラム命令の実行を介して特別に構成されるプログラマブル回路を含むか、あるいは固定された回路とプログラムされた回路の混合を含んでもよい。  プロセッサ42はマルチコアであってよく、すなわち高性能、省消費電力、および複数のタスクの効率的な同時処理のために使用される二つ以上のプロセッサコアを持ってよい。
【００８５】
処理回路32はメモリ44も含む。  いくつかの実施形態におけるメモリ44は、一つ以上のコンピュータプログラム46と、オプションでコンフィギュレーションデータ48を格納する。メモリ44はコンピュータプログラム46のために非一時的ストレージを提供し、それはディスクストレージ、固体メモリストレージ、またはそれのすべての混合などの一つ以上のタイプのコンピュータ可読媒体を含んでよい。  非制限的な例として、メモリ44は、SRAM、DRAM、EEPROM、およびフラッシュメモリの一つ以上を含み、それは処理回路32中にあってもよいし、かつ／または処理回路32とは別であってもよい。
【００８６】
一般に、メモリ44は、ネットワークアクセスノード30によって使われたコンピュータプログラム46とすべてのコンフィギュレーションデータ48の非一時的ストレージを提供している一つ以上のタイプのコンピュータ可読記憶媒体を含む。  ここで、「非一時的」は、永久的、半固定、または少なくとも一時的に持続的なストレージを意味していて、不揮発性メモリにおける長期ストレージとワーキングメモリにおける、例えばプログラム実行のためのストレージの両方を包含する。
【００８７】
ここに説明された技術の様々な実施形態によると、送信機ノードおよび／または受信機ノードは、図５−図９において説明されたマルチキャリヤ変調および復調技術の様々な組み合わせや、または他のマルチキャリヤ変調技術を使って通信を実行することができる。例えば、図１５に戻って参照すると、ネットワークアクセスノード30の処理回路32のプロセッサ42は、マルチキャリヤ変調を実行する送信機ノードとしてネットワークアクセスノード30が動作するようプロセッサ42を構成する、メモリ44に格納されたコンピュータプログラム46を実行してよい。処理回路32は、いくつかの実施形態において、一つ以上のプログラムベースのプロセッサとの協力においてDFT/IDFT処理を実行するために専門的なディジタルハードウェアを含んでよい。いくつかの実施形態において、プロセッサ42は、例えばマルチキャリヤ変調を使って第一のマルチキャリヤ変調ヌメロロジーを有する第一の信号を形成し、マルチキャリヤ変調を使って第二のマルチキャリヤ変調ヌメロロジーを有する第二の信号を形成するよう構成され、第一と第二のヌメロロジーは例えば異なるサブキャリヤ帯域幅を有している。プロセッサ42はさらに、第一と第二の信号が周波数帯域の中で周波数領域多重化されるように、前記周波数帯域の中で前記第一と第二の信号を同時に送信するように前記トランシーバ36を制御するよう構成されている。
【００８８】
処理回路32のプロセッサ42は、ネットワークノード30が図１３において説明された方法またはそれのバリエーションを実行するよう操作するプロセッサ42を構成するメモリ44に格納されたコンピュータプログラム46を実行するようさらに構成されてよい。従ってプロセッサ42は、例えば、第二のワイヤレスノードにより使用するための時間−周波数リソースを割り当てるよう構成され、ここで前記割り当てることは、割り当てられた時間−周波数リソースにおけるマルチキャリヤ変調で使用するために、前記第二のワイヤレスノードがデータの変調または復調のために使用するよう構成された二つ以上のサブキャリヤ帯域幅のうちの一つを選択することを含む。プロセッサ42はまた、トランシーバ回路36を用いて、割り当てられた時間−周波数リソースを識別しているリソース割り当て情報を第二のワイヤレスノードに送信するよう構成されてよい。
【００８９】
図１５において示されたネットワークアクセスノード30は、ノード、ネットワークのノードまたは無線ネットワークノードと称されてもよい。  ネットワークアクセスノード30は、基地局、無線基地局、基地トランシーバ局、発展型ノードB(eNodeB)、ノードB、リレーノード、アクセスポイント、ワイヤレスアクセスポイント、無線アクセスポイント、ウルトラデンスネットワーク(UDN)、ソフトウェア定義ネットワーク(SDN)、無線アクセスノード、リモート無線ユニット(RRU)、リモート無線ヘッド(RRH)などを含んでよい任意の種類のネットワークアクセスノードであってよい。
【００９０】
図１６は、いくつかの実施形態によるユーザ機器50などのワイヤレス機器の図を説明する。  説明を簡単にするために、ユーザ機器50はまた、ネットワーク中で動作できる任意のワイヤレス機器でも表すと考えてよい。UE50はここに、無線信号の上でネットワークノードまたは別のUEと通信することが可能な任意のタイプのワイヤレス機器であってよい。UE 50はまた、無線通信機器、ターゲット機器、デバイスツーデバイス(D2D)UE、マシンタイプUE、またはマシンツーマシン通信(M2M)が可能なUE、UEを備えたセンサ、PDA(携帯情報端末)、タブレット、モバイル端末、スマートフォン、ラップトップ内蔵機器(LEE)、ラップトップ搭載機器(LME)、USBドングル、顧客構内設備(CPE)などであってよい。
【００９１】
従って、第一のワイヤレスノード、および／または第二のワイヤレスノードは、上記の言及されたワイヤレス機器またはネットワークノードのどれであってもよい。
【００９２】
UE 50は、アンテナ54およびトランシーバ回路56経由でネットワークアクセスノード30などの無線ノードまたは基地局と通信する。  セルラ通信サービスを提供するために、トランシーバ回路56は、送信機回路、受信機回路、および無線アクセス技術に従って信号を送信および受信するよう集合的に構成される制御回路を含んでよい。
【００９３】
UE50はまた、トランシーバ回路56と動作可能なように関連する一つ以上の処理回路52を含む。  処理回路52は一つ以上のディジタルプロセッサ、例えば一つ以上のマイクロプロセッサ、マイクロコントローラ、ディジタルシグナルプロセッサすなわちDSP、フィールドプログラマブルゲートアレイすなわちFPGA、複合プログラマブル論理デバイスすなわちCPLD、特定用途向け集積回路すなわちASICまたはそれらの組み合わせを含む。  より一般的に、処理回路52は、固定された回路または、ここに教示された機能を実施するプログラム命令の実行を介して特別に構成されるプログラマブル回路を含むか、あるいは固定された回路とプログラムされた回路の混合を含んでもよい。  処理回路52はマルチコアであってよい。
【００９４】
処理回路52はまたメモリ64を含んでよい。  いくつかの実施形態におけるメモリ64は、一つ以上のコンピュータプログラム66と、オプションでコンフィギュレーションデータ68を格納する。メモリ64はコンピュータプログラム66のために非一時的ストレージを提供し、それはディスクストレージ、固体メモリストレージ、またはそれのすべての混合などの一つ以上のタイプのコンピュータ可読媒体を含んでよい。  非制限的な例として、メモリ64は、SRAM、DRAM、EEPROM、およびフラッシュメモリの一つ以上を含み、それは処理回路52中にあってもよいし、かつ／または処理回路52とは別であってもよい。  一般に、メモリ64は、ユーザ機器50によって使われたコンピュータプログラム66とすべてのコンフィギュレーションデータ68の非一時的ストレージを提供している一つ以上のタイプのコンピュータ可読記憶媒体を含む。 
UE50は、例えば処理回路52を用いて、図５−図９に説明した変調及び復調技術のすべてまたはいくつかを実行するよう構成されてよい。  例えば、処理回路52のプロセッサ62は、プロセッサ62を上述した第二のワイヤレスノードとして動作するよう構成するメモリ64に格納されたコンピュータプログラム66を実行してよい。  UE30の処理回路52は、それにより、たとえば図１４に示した方法及びそのバリエーションのような、リソース割り当て情報を受信し、解釈するための一つ以上の方法を実行するよう構成されてよい。たとえば、処理回路52は、リソース割り当て情報が、第二のワイヤレスノードに割り当てられた時間−周波数リソースを識別するリソース割り当て情報を、トランシーバ回路56を介して受信するよう構成されてよい。処理回路はさらに、受信した前記リソース割り当て情報に基づいて、識別された前記時間-周波数リソース上のマルチキャリヤ変調で使用するために前記第二のワイヤレスノードによりサポートされた二つ以上のサブキャリヤ帯域幅の一つを決定するよう構成されてよい。
【００９５】
図１５と図１６の処理回路32と52がそれぞれ、多くの機能的なモジュールを実施すると理解できることは理解されるべきであり、ここで、個々の機能的なモジュールが、処理回路またはディジタルハードウェアの機能的なグループ、またはその両方の組み合わせの上で実行しているソフトウェアまたはファームウェアのモジュールを表していてよい。従って、図１７と図１８はネットワークアクセスノード30とユーザ機器50の代替的な見方を説明しており、ここで上述した技術の一つ以上が機能モジュールに具現化されている。
【００９６】
図１７は、上述した任意の技術に従って「第一のワイヤレスノード」として動作するノードに実装され得る機能モジュールの例または回路アーキテクチャを説明する。  説明された実施形態、少なくとも機能性は、第二のワイヤレスモジュールによる使用のために時間−周波数リソースを割り当てるためのリソース割り当てモジュール1702であって、当該割り当てることが、割り当てられた時間−周波数リソースにおけるマルチキャリヤ変調で使用するために、第二のワイヤレスノードがデータの変調または復調のために使用するよう構成された二つ以上のサブキャリヤ帯域幅のうちの一つを選択することを含むリソース割り当てモジュール1702と、割り当てられた時間−周波数リソースを識別するリソース割り当て情報を第二のワイヤレスノードへと送信する送信モジュール1704とを含む。説明された実施形態はさらに受信モジュール1706を含み、いくつかの実施形態ではそれは、前記第二のワイヤレスノードから、割り当てられた時間−周波数リソースの中でデータを受信するために構成されてよく、ここでデータを受信することは、割り当てられた時間−周波数リソースの中で、選択されたサブキャリヤ間隔に従って受信信号を復調することを含む。説明された実施形態はさらに転送モジュール1708を含み、いくつかの実施形態ではそれは、前記第二のワイヤレスノードへと、割り当てられた時間−周波数リソースの中でデータを送信するために構成されてよく、ここでデータを送信することは、割り当てられた時間−周波数リソースの中で、選択されたサブキャリヤ間隔に従って送信信号を変調することを含む。上述した図１３のいくつかのバリエーションのすべてが等しく図１７に示した装置に適用可能であることは理解されるであろう。
【００９７】
図１８は、例えば図１６の処理回路52に基づいて上で参照した「第二のワイヤレスノード」として動作するノードに実装され得る機能モジュールの例または回路アーキテクチャを説明する。  説明した実施形態、少なくとも機能性は、前記第二のワイヤレスノードに割り当てられた時間−周波数リソースを識別するリソース割り当て情報を受信するための受信モジュール1802と、受信した前記リソース割り当て情報に基づいて、識別された前記時間-周波数リソース上のマルチキャリヤ変調で使用するために前記第二のワイヤレスノードによりサポートされた二つ以上のサブキャリヤ帯域幅の一つを決定するための決定モジュール1804とを含む。説明された実施形態はさらに変調モジュール1806を含み、いくつかの実施形態ではそれは、前記第一のワイヤレスノードから、識別された時間−周波数リソース上でデータ送信を受信するよう構成され、ここでデータ送信を受信することは、識別された時間−周波数リソースの中で、決定されたサブキャリヤ帯域幅に従って受信信号を復調することを含む。説明された実施形態はまた転送モジュール1808を含み、いくつかの実施形態ではそれは、第一のワイヤレスノードへと、識別された時間−周波数リソース上でデータを送信するよう構成され、ここでデータを送信することは、識別された時間−周波数リソースの中で、決定されたサブキャリヤ帯域幅に従って送信信号を変調することを含む。上述した図14のいくつかのバリエーションのすべてが等しく図１８に示した装置に適用可能であることは理解されるであろう。
【００９８】
ここに説明された様々な技術の利点のうち、ここでは、それらが、フィルタOFDMを使用するか、またはより一般にマルチモードマルチキャリヤ変調を使用するシステムにおけるよりよいリソース活用を可能にすることを説明した。よりよいリソース活用を容易にすることによって、これらの技術はワイヤレスシステムの中のシステム容量を増大させることができる。
【００９９】
特に、開示された発明の修正または他の実施形態は、前述の説明および関連した図面において示された教示の恩恵を有する当業者が想起するであろう。従って、本発明が、開示された具体的な実施形態に制限されるはずはなく、かつ、修正や他の実施形態が、この開示の範囲に含まれることを意図していることは理解されるはずである。ここでは特定の用語が使用されているかもしれないが、それらは制限という目的でではなく、一般的かつ説明的な意味のみで使われる。
【図１】
0006755298.tif 000003
【図２】
0006755298.tif 000004
【図３】
0006755298.tif 000005
【図４】
0006755298.tif 000006
【図５】
0006755298.tif 000007
【図６】
0006755298.tif 000008
【図７】
0006755298.tif 000009
【図８】
0006755298.tif 000010
【図９】
0006755298.tif 000011
【図１０】
0006755298.tif 000012
【図１１】
0006755298.tif 000013
【図１２】
0006755298.tif 000014
【図１３】
0006755298.tif 000015
【図１４】
0006755298.tif 000016
【図１５】
0006755298.tif 000017
【図１６】
0006755298.tif 000018
【図１７】
0006755298.tif 000019
【図１８】
0006755298.tif 000020